(57)【要約】【課題】コールドアイルとホットアイルとの気圧差が変動しても、コールドアイルからの冷気の流出を防止し、消火の妨げとならず、コールドアイルへの出入りが容易で、かつ見栄えのよいサーバー室内用の扉を提供する。【解決手段】サーバーを格納する複数のサーバーラック１４が対向し並設されてなるラック群と、対向するサーバーラック１４同士の間に形成されたコールドアイル６と、ラック群の外部に形成されたホットアイル８とを備えたサーバー室で用いられ、コールドアイル６とホットアイル８とを仕切るサーバー室内用の扉２０において、扉本体２２が、上部ヒンジ３０を軸に回動自在とされ、押圧力により開き、かつ押圧力の解除により任意の位置で回動を停止して閉じるものとされ、扉本体２２の回動の停止位置は、上部ヒンジ３０により調節可能であることよりなる。【選択図】図３
2011243051.tif 000002
【特許請求の範囲】
【請求項１】
サーバーを格納する複数のサーバーラックが対向し並設されてなるラック群と、対向する前記サーバーラック同士の間に形成され前記サーバーを冷却するための冷却用空気が供給されるコールドアイルと、前記ラック群の外部に形成され前記冷却用空気が前記サーバーを冷却した後に流出するホットアイルとを備えたサーバー室で用いられ、前記コールドアイルと前記ホットアイルとを仕切るサーバー室内用の扉において、
前記コールドアイルと前記ホットアイルとの境界に設けられた支持体と、この支持体にヒンジを介して取り付けられた扉本体とを備え、
前記扉本体は、前記ヒンジを軸に回動自在とされ、押圧力により開き、かつ押圧力の解除により任意の位置で回動を停止して閉じるものとされ、
前記扉本体の回動の停止位置は、前記ヒンジにより調節可能であることを特徴とする、サーバー室内用の扉。
【請求項２】
前記支持体は、前記扉本体の上方に備えられ、
略円柱状の磁石体を備えるマグネットキャッチ本体と、該磁石体に吸着可能な被吸着体とを備えるマグネットキャッチ装置を備え、
前記扉本体と前記支持体とのいずれか一方に前記磁石体が設けられると共に、同他方に前記被吸着体が設けられていることを特徴とする、請求項１に記載のサーバー室内用の扉。
【発明の詳細な説明】
【技術分野】
【０００１】
本発明は、サーバー室内用の扉に関する。
【背景技術】
【０００２】
コンピュータネットワークを構築するためには、プロキシサーバーやファイルサーバー等の各種サーバーが必要とされ、この種のサーバーは、システムの運用、管理等の観点から、サーバー室にまとめて設置されることが多い。サーバー室には、サーバーラック（又はキャビネット）が設置され、このサーバーラックには、サーバーが格納されている。
【０００３】
サーバーは、発熱源となるＣＰＵ等の部品を冷却するファンや、サーバー内で発生した熱をサーバー外に排出するファンが組み込まれており、サーバーの動作時には、サーバーから排出された熱によってサーバーラック内の温度が過度に上昇する。この過度の温度上昇は、サーバーの異常動作の原因となるため、サーバー室内は、空気調和装置（空調装置）により冷却される。サーバーを効率的に冷却するために、前面、背面、天面に複数の孔やスリットが形成されたサーバーラックをサーバー室に設置するのが一般的である。
【０００４】
このようなサーバーラックを用いることで、空調装置で冷却された空気は、前面の孔等を通流してサーバーラック内に流入し、サーバーを冷却した後、天面又は背面に形成された孔等からサーバーラック外へ流出する。
【０００５】
より多くのサーバーが設置されるサーバー室としては、複数のサーバーラックが互いの側面を突き合わせて並設されてラック列とされ、このラック列が複数並設されたものが一般的である。このようなサーバー室は、２つのラック列が互いに前面を対向させ、離間して配置されたラック群とされ、このラック群が複数設けられたものとされている。そして、ラック群における一方のラック列と他方のラック列との間の領域は、空調装置で冷却された冷気をサーバーラック内に供給するコールドアイルとされ、ラック群の外部の領域は、サーバーラックから流出した空気が集まるホットアイルとされる。コールドアイルは、例えば、床あるいは天井から冷気を供給する構造で、ホットアイルに対して陽圧とされている。また、コールドアイルは、サーバーラックのサーバーの点検や出し入れを行う際の作業者の通路としても利用されている。
このように、サーバー室をコールドアイルとホットアイルとに区分けすることで、サーバー室でのサーバーの冷却の効率化が図られている。
【０００６】
従来、このようなサーバー室におけるサーバーの冷却効率のさらなる向上を図る発明が提案されている。例えば、ケーブルラックからキャビネットに向けて垂下されたカーテンと、前記ケーブルラックに横渡しにされた塩化ビニル製等のカーテンと、コールドアイルの両端に設けられたカーテンとを備えるサーバー室が提案されている（例えば、特許文献１）。この発明によれば、コールドアイルの上方及び両端が遮蔽され、コールドアイルがチャンバー化されることで、ホットアイルから暖気がコールドアイルに流入するのを防止できる。
【先行技術文献】
【特許文献】
【０００７】
【特許文献１】特開２００９−３６４９０号公報
【発明の概要】
【発明が解決しようとする課題】
【０００８】
しかしながら、コールドアイルの両端に設けられるカーテンには、プラスチック製シートが用いられるのが通常であり、かかるカーテンは、その裾部分がコールドアイルの圧力により押し開かれて、コールドアイルからホットアイルへの冷気の流出を十分に抑制できない。一方、カーテンに換えて引き戸や開き戸等の扉を設けると、サーバーの点検をする際や、サーバーを出し入れする際に、扉の開閉が煩雑になる。加えて、サーバー内のデータ保護のため、火災時には、スプリンクラー等による散水に換えて、窒素ガスをラック列方向に、コールドアイル内へ噴射する。このため、コールドアイルの両端に設けられる扉には、窒素ガスの噴射圧力（数百Ｐａ）で容易に開くことが必要とされる。さらに、プラスチック製シートのカーテンでは、見栄えが悪いという問題がある。
空調装置は、ラック群におけるサーバーの設置数の増減に伴い、コールドアイルへの冷気の供給量を変動するため、コールドアイルとホットアイルとの気圧差が変動する。このため、コールドアイルの両端に、単に開き戸を設けると、この開き戸は、コールドアイルとホットアイルとの気圧差に伴って、隙間を生じるという問題がある。この隙間を生じさせないために、開き戸を開きにくいものとすると、窒素ガスを噴射した際に、開き戸が開かないおそれがある。
そこで、コールドアイルとホットアイルとの気圧差が変動しても、コールドアイルからの冷気の流出を防止し、消火の妨げとならず、コールドアイルの出入りが容易で、かつ見栄えのよいサーバー室内用の扉を目的とする。
【課題を解決するための手段】
【０００９】
本発明のサーバー室内用の扉は、サーバーを格納する複数のサーバーラックが対向し並設されてなるラック群と、対向する前記サーバーラック同士の間に形成され前記サーバーを冷却するための冷却用空気が供給されるコールドアイルと、前記ラック群の外部に形成され前記冷却用空気が前記サーバーを冷却した後に流出するホットアイルとを備えたサーバー室で用いられ、前記コールドアイルと前記ホットアイルとを仕切るサーバー室内用の扉において、前記コールドアイルと前記ホットアイルとの境界に設けられた支持体と、この支持体にヒンジを介して取り付けられた扉本体とを備え、前記扉本体は、前記ヒンジを軸に回動自在とされ、押圧力により開き、かつ押圧力の解除により任意の位置で回動を停止して閉じるものとされ、前記扉本体の回動の停止位置は、前記ヒンジにより調節可能であることを特徴とする。
前記支持体は、前記扉本体の上方に備えられ、略円柱状の磁石体を備えるマグネットキャッチ本体と、該磁石体に吸着可能な被吸着体とを備えるマグネットキャッチ装置を備え、前記扉本体と前記支持体とのいずれか一方に前記磁石体が設けられると共に、同他方に前記被吸着体が設けられていることが好ましい。
【発明の効果】
【００１０】
本発明のサーバー室内用の扉によれば、コールドアイルとホットアイルとの気圧差が変動しても、コールドアイルからの冷気の流出を防止し、消火の妨げとならず、コールドアイルの出入りが容易で、かつ見栄えのよいものとすることができる。
【図面の簡単な説明】
【００１１】
【図１】本発明のサーバー室内用の扉を説明するためのサーバー室の一部を示す平面図である。
【図２】本発明の一実施形態にかかるサーバー室内用の扉の正面図である。
【図３】本発明の一実施形態にかかるサーバー室内用の扉の平面図である。
【図４】図２の部分拡大図である。
【図５】（ａ）図４に示す上部支持体の平面図である。（ｂ）図４に示す上部支持体の正面図である。
【図６】（ａ）図４に示すヒンジ本体の平面図である。（ｂ）図４に示すヒンジ本体の正面図である。
【図７】（ａ）図４に示す下部支持体の平面図である。（ｂ）図４に示す下部支持体の底面図である。
【図８】図２の部分拡大図である。
【図９】（ａ）図８に示す被吸着体の平面図である。（ｂ）図８に示す被吸着体の正面図である。（ｃ）図８に示す被吸着体の側面図である。
【発明を実施するための形態】
【００１２】
本発明のサーバー室内用の扉の一実施形態について、以下に図面を参照しながら説明する。
図１は、本発明のサーバー室内用の扉を適用したサーバー室の一部を示す平面図であり、図２は、本発明の一実施形態にかかるサーバー室内用の扉が閉じた状態を示す正面図であり、図３は、本発明の一実施形態にかかるサーバー室内用の扉の平面図である。なお、図１について、説明の便宜上、ラック群の上部に設けられた天井の図示を省略した。
【００１３】
図１に示すように、サーバー室１は、ラック群１０と、ラック群１０内に形成されたコールドアイル６と、ラック群１０の外部に形成されたホットアイル８とを備えるものであある。サーバー室１内には、コールドアイル６に冷却用空気を供給する空調装置２と、窒素ガス噴射装置４とが備えられ、ラック群１０には、サーバー室内用の扉（以下、単に扉ということがある）２０が設けられている。
【００１４】
ラック群１０は、複数のサーバーラック１４がＹ方向に並設されてなる一組のラック列１２、１２により構成され、ラック列１２、１２は、サーバーラック１４の前面１５同士が対向し、かつ互いに離間して配置されている。ラック列１２の並び方向Ｙの両端には、コールドアイル６内の温度制御をするためのコントロールパネル１９が設けられている。また、図２に示すように、ラック群１０の上部には、天井１８が設けられている。
【００１５】
コールドアイル６は、ラック群１０を構成する一組のラック列１２、１２の間に形成される領域である。即ち、ラック列１２、１２は、コールドアイル６を挟んで、前面１５同士が対向するように配置されている。このコールドアイル６には、サーバーラック１４内のサーバーを冷却するための冷却用空気が、空調装置２から供給される。
【００１６】
ホットアイル８は、コールドアイル６に供給された冷却用空気が、サーバーラック１４内に流入しサーバーラック１４内のサーバーを冷却した後に排出される領域である。即ち、本実施形態においては、ラック群１０及びコールドアイル６以外のサーバー室１内の領域である。
【００１７】
扉２０は、コールドアイル６の両端に設けられ、コールドアイル６とホットアイル８とを仕切るものである。
図２に示すように、本実施形態の扉２０は、扉本体２２と、略角柱状の扉枠２７と、扉支持体２６と、上部ヒンジ３０と、下部ヒンジ３１と、マグネットキャッチ装置４０とを備えるものである。扉枠２７、２７は、略四角柱状とされ、サーバー室１の天井の梁６０、６０の間に渡した下地鉄骨６２から床面６４にかけて設けられている。図３に示すように、扉枠２７、２７は、サーバーラック１４とコントロールパネル１９との境界に沿って、コントロールパネル１９に接して設けられたものである。なお、図３においては、説明の便宜上、扉支持体２６の図示を省略した。
扉枠２７、２７の間には、略四角柱状の扉支持体２６が渡されており、扉枠２７と扉支持体２６と床面６４とで囲われた領域が、コールドアイル６の出入口２１とされている。
【００１８】
コールドアイル６の出入口２１には、２枚の扉本体２２、２２が設けられ、各々の扉本体２２、２２は、扉枠２７側の上端が上部ヒンジ３０により扉支持体２６に接続され、扉枠２７側の下端が下部ヒンジ３１により床面６４に接続されている。こうして、扉２０は、扉本体２２、２２が上部ヒンジ３０と下部ヒンジ３１により回動自在に軸支された、いわゆるスイングドアとされている。加えて、扉本体２２、２２の一側端２５、２５が突き合わされた部分の上端近傍には、磁石体を備えたマグネットキャッチ本体４２が設けられている。一方、扉支持体２６には、扉本体２２を閉じた際のマグネットキャッチ本体４２に対応する位置に、マグネットキャッチ本体４２の磁石体に吸着される被吸着体４４が設けられている。このように、扉２０は、マグネットキャッチ本体４２と被吸着体４４とからなるマグネットキャッチ装置４０を備えている。
扉支持体２６の上方には、遮蔽板２８が設けられている。
【００１９】
コールドアイル６は、例えば、その床面に孔、スリット等が形成されており、空調装置２で生成した冷却用空気がコールドアイル６の床下に供給され、コールドアイル６の床面の孔等を通じてラック列１２、１２の間に冷却用空気が供給される機構のものが挙げられる。また、例えば、天井１８に孔又はスリット等が形成され、かつ天井１８上に冷却用空気の流路が設けられ、空調装置２で生成した冷却用空気が、前記流路を通じ、天井１８の孔等からラック列１２、１２の間に供給される機構のものが挙げられる。なお、コールドアイル６は、ホットアイル８に対して陽圧とされているのが通常である。
【００２０】
サーバーラック１４は、例えば、前面１５に、サーバーを出し入れするためのラック扉が設けられ、このラック扉及び背面１６に通気用の孔、スリット等が形成されているものが挙げられる。ラック扉に形成された孔等は、コールドアイル６からサーバーラック１４内に冷却用空気が流入するための流入孔となり、背面に形成された孔は、サーバーラック１４内の空気が流出するための流出孔となる。
このようなサーバーラック１４を用いることで、コールドアイル６内の冷却用空気は、ラック扉の孔等を通じてサーバーラック１４に流入し、サーバーを冷却する。サーバーの冷却により温度が上昇した冷却用空気は、サーバーラック１４の背面１６からホットアイル８に流出する。
サーバーラック１４は、その背面にファンが設けられているものであってもよい。かかるファンが設けられていることで、サーバーラック１４内への吸気、サーバーラック１４外への排気を効率的に行うことができる。
【００２１】
扉本体２２は、ドアパネル２３と、ドアパネル２３に設けられた扉窓２４と備えるものである。
ドアパネル２３の材質としては、特に限定されないが、帯電しないものが好適であり、軽量で剛性が高く、かつ難燃性のものがより好適である。このような観点から、ドアパネル２３としては、例えば、アルミニウム又はアルミニウムとプラスチックとの複合パネル等が好適に用いられる。
扉窓２４の材質としては、適度な強度を有し、透明性を有すれば特に限定されないが、例えば、プラスチック製板が好適に用いられ、中でも、帯電防止仕様の透明ポリカーボネート製板等で難燃性のものがより好適である。
【００２２】
扉枠２７の材質は、特に限定されず、アルミニウムや、ステンレス等の金属や、プラスチック等が挙げられる。
扉支持体２６の材質は、扉枠２７の材質と同様である。
遮蔽板２８の材質は、特に限定されず、例えば、ポリカーボネート等の透明性を有するプラスチック、あるいは、透明性を有しないプラスチック等が挙げられる。
【００２３】
上部ヒンジ３０は、扉本体２２が、押圧力により開き、かつ押圧力の解除により任意の位置で停止して閉じるスイングドアに用いられ、かつ扉本体２２の回動の停止位置を調節できる（自在位置止め機能）ものである。
例えば、上部ヒンジ３０としては、自在位置止め機能を有するグラビティヒンジ又はスプリングヒンジ等が挙げられる。このような上部ヒンジ３０としては、例えば、株式会社スギモト創建製のリターンヒンジ（常閉用）等が市販されている。
【００２４】
このような上部ヒンジ３０の一例を図４〜７を用いて説明する。図４は、上部ヒンジ３０を説明するための図２の部分拡大図である。
図４に示すように、上部ヒンジ３０は、上部支持体３２と、ヒンジ本体３４と、下部支持体３６とで概略構成されている。
【００２５】
図５（ａ）は、上部支持体３２の平面図であり、図５（ｂ）は、上部支持体３２の正面図である。図６（ａ）は、ヒンジ本体３４の平面図であり、図６（ｂ）は、ヒンジ本体３４の正面図ある。図７（ａ）は、下部支持体３６の正面図であり、図７（ｂ）は、下部支持体３６の底面図である。
図５に示すように上部支持体３２は、平面視略矩形の天壁部１０１と、天壁部１０１の周縁から下方に延設された側壁部１０３とを備えるものである。天壁部１０１には、上部支持体３２を扉支持体２６に取り付ける際に、螺子が挿通される取付孔１０２が形成され、側壁部１０３には、ヒンジ本体３４を上部支持体３２に装着する際に、螺子が挿通される切欠部１０４が形成されている。
【００２６】
図６（ａ）、（ｂ）に示すように、ヒンジ本体３４は、本体筒部１１０と、接続片１１２と、軸部１１４と、接続部１１８とで概略構成されている。
本体筒部１１０は、略円筒状とされ、その上端には、接続片１１２が、本体筒部１１０の軸線に対し略垂直に突設されている。接続片１１２には、ヒンジ本体３４を扉本体２２に取り付ける際、螺子が挿通される取付孔１１３が複数形成されている。軸部１１４は、その軸部上端部１１５と軸部下端部１１６とが露出するように本体筒部１１０内に嵌挿され、軸部上端部１１５には、平面視長方形の略角柱状の接続部１１８が嵌合されている。接続部１１８には、ヒンジ本体３４を上部支持体３２に装着する際に螺子が螺合される取付孔１１９と、扉本体２２の停止位置を調節するための螺子が挿通される調節螺子孔１２０とが形成されている。
【００２７】
図７（ａ）、（ｂ）に示すように、下部支持体３６は、略円筒状とされ、側壁部１３０には、下部支持体３６を扉本体２２に接続する際に、螺子が螺合する取付孔１３２が形成されている。
【００２８】
次に、上部ヒンジ３０の取付構造について説明する。図４に示すように、下部支持体３６は、扉本体２２に形成されたヒンジ取付穴２９内に接続されている。ヒンジ本体３４は、本体筒部１１０がヒンジ取付穴２９内に挿入され、軸部下端部１１６が下部支持体３６内に挿入されている。ヒンジ本体３４の接続片１１２は、扉本体２２の上端面に当接され、取付孔１１３に挿通された螺子（不図示）により扉本体２２に接続されている。
上部支持体３２は、天壁部１０１が扉支持体２６に当接され、取付孔１０２に挿通された螺子（不図示）により扉支持体２６に接続されている。
ヒンジ本体３４は、軸部上端部１１５が上部支持体３２内に挿入され、螺子（不図示）が切欠部１０４に挿通されると共に取付孔１１９に螺合されて、上部支持体３２に接続されている。
軸部１１４は、調節螺子孔１２０に螺合される螺子の先端が当接されることで、接続部１１８に固定される。
【００２９】
扉２０に設けられた上部ヒンジ３０は、次のようにして扉本体２２の回動の停止位置を調節できる。接続部１１８の調節螺子孔１２０に螺合された螺子を緩め、接続片１１２の長さＬ方向と接続部１１８の幅Ｗ方向とが任意の角度となるようにする。次いで、調節螺子孔１２０に螺合された螺子を締めなおして、軸部１１４を接続部１１８に固定することで、扉本体２２の回動の停止位置を調節できる。
【００３０】
下部ヒンジ３１は、扉本体２２を軸支し回動自在とするものであれば特に限定されず、例えば、中心吊ピポットヒンジ等が挙げられる。
【００３１】
マグネットキャッチ本体４２は、特に限定されず、公知のものを用いることができる。中でも、図８に示すような略円柱状の磁石体１４２ａを備えたものが好ましい。かかるマグネットキャッチ本体４２を用いることで、扉本体２２の開閉を円滑としつつ、扉本体２２の停止位置をより正確なものにできる。
【００３２】
図８は、マグネットキャッチ装置４０の一例を説明する図２の部分拡大図であり、扉本体２２を閉じた状態を示すものである。図８に示すように、マグネットキャッチ装置４０は、扉本体２２に設けられたマグネットキャッチ本体４２と、扉支持体２６に設けられた被吸着体４４とで概略構成されている。
マグネットキャッチ本体４２は、扉本体２２の上端近傍に埋設されたハウジング部１４０と、ハウジング部１４０内に設けられた磁石体１４２ａとで概略構成されている。
磁石体１４２ａは、略円柱状のローラー部１４４と、ローラー部１４４の周面に設けられ、周方向に帯状に延びる磁石１４６とを備えるものである。磁石体１４２は、支持軸によりハウジング部１４０内に軸支され、その周方向に回転自在とされている。
このマグネットキャッチ本体４２は、扉本体２２を閉とした状態では、磁石１４６と被吸着体４４とが吸着して、磁石体１４２ｂが扉本体２２の上方に上昇し磁石体１４２ａの状態となり、扉本体２２を開とすると、磁石体１４２ａがハウジング１４０内に下降して磁石体１４２ｂの状態となるものである。
【００３３】
被吸着体４４は、特に限定されず、マグネットキャッチ本体４２の種類に応じて選択でき、例えば、磁性を有する金属製の平板や、磁石等が挙げられる。本実施形態では、図９に示すような、４枚の平板状の磁石を備えたマグネットキャッチが用いられている。
【００３４】
図９（ａ）は、被吸着体４４の平面図であり、図９（ｂ）は、被吸着体４４の正面図であり、図９（ｃ）は、被吸着体４４の側面図である。
図９（ａ）に示すように、被吸着体４４は、平面視略長方形の略直方体状のハウジング部１５０と、ハウジング部１５０に設けられた４枚の平板磁石１５２とで概略構成されている。
ハウジング部１５０には、４つの平板磁石１５２が天面１５１の幅方向に離間し、かつ天面１５１の長さ方向に離間し並設されており、平板磁石１５２は、その一部が天面１５１上に露出されたものとされている。
このような被吸着体４４を用いることで、扉本体２２を閉とした際に、天面１５１の幅方向で対向する平板磁石１５２、１５２の間に磁石体１４２ａが収まるため、扉本体２２をより確実に任意の位置で停止できる。
【００３５】
次に、扉２０の開閉における動作について説明する。
まず、図３に示すように、コールドアイル６とホットアイル８との気圧差を勘案して、扉本体２２、２２の一側端２５、２５同士が突き合わさるように、上部ヒンジ３０、下部ヒンジ３１とを調節し、扉本体２２、２２を閉状態（常態）とする。コールドアイル６内はホットアイル８に対して陽圧とされているため、扉本体２２はラック群１０の外方に開いた状態で停止する傾向となる。従って、コールドアイル６とホットアイル８とを同気圧とした場合に、扉本体２２がラック群１０の内方に開いて停止するように、上部ヒンジ３０及び下部ヒンジ３１を調節する（ヒンジ調節操作）。
常態において、マグネットキャッチ本体４２は、磁石体１４２ａが扉本体２２の上方に上昇し、被吸着体４４に吸着した状態となっている（図８）。そして、扉本体２２は、出入口２１にてコールドアイル６とホットアイルと８とを仕切り、コールドアイル６からホットアイル８への冷却用空気の流出を防いでいる。
【００３６】
作業者等は、ラック群１０内のコールドアイル８に入るに際し、扉本体２２をラック群１０の外方から内方に向けて押圧する。扉本体２２は、押圧されると、上部ヒンジ３０、下部ヒンジ３１を軸に回動し、扉本体２２ｂのようにラック群１０内に向けて開状態となる（図３）。この際、マグネットキャッチ本体４２と被吸着体４４とが離間し、磁石体１４２ａは、ハウジング部１４０内に下降して磁石体１４２ｂの状態となる。扉本体２２ｂは、扉本体２２ｂへの押圧力が解除されると、上部ヒンジ３０、下部ヒンジ３１を軸に回動し、常態の扉本体２２となって停止する。この際、磁石体１４２ｂは、被吸着体４４に吸着し、磁石体１４２ａの状態となる。
【００３７】
また、コールドアイル６内の作業者等は、ラック群１０外に出るに際し、扉本体２２をラック群１０の内方から外方に向けて押圧する。扉本体２２は、押圧されると、上部ヒンジ３０、下部ヒンジ３１を軸に回動し、扉本体２２ａのようにラック群１０外に向けて開状態となる（図３）。この際、マグネットキャッチ本体４２と被吸着体４４とが離間し、磁石体１４２ａは、ハウジング部１４０内に下降して磁石体１４２ｂの状態となる。扉本体２２ａは、扉本体２２ａへの押圧力が解除されると、上部ヒンジ３０、下部ヒンジ３１を軸に回動し、常態の扉本体２２となって停止する。この際、磁石体１４２ｂは、被吸着体４４に吸着し、磁石体１４２ａの状態となる。
【００３８】
ここで、コールドアイル６とホットアイル８との気圧差が変動すると、その気圧差に応じて扉本体２２がラック群１０の内方又は外方に開いて停止することとなる。この際、上述のヒンジ調節操作を再度行い、扉本体２２を常態とする。
【００３９】
本実施形態によれば、扉本体２２により、コールドアイル６とホットアイル８とが仕切られるため、常態においては、コールドアイル６からホットアイル８への冷却用空気の流出を防止できる。加えて、扉２０がスイングドアであるため、作業者のコールドアイル６の出入りが容易である。
サーバー室１内に火災が発生した場合には、窒素ガス噴射装置４から、サーバーラック１４の並び方向に向けて窒素ガスが噴射される。扉２０がスイングドアであるため、噴射された窒素ガスは、扉本体２２、２２を容易に押し開き、コールドアイル６内に流入し、ラック群１０内を消火する。
さらに、上部ヒンジ３０、下部ヒンジ３１は、自在位置止め機能を有するヒンジであるため、コールドアイル６とホットアイル８との気圧差の変動に応じて、扉本体２２の回動の停止位置を容易に調節できる。
そして、出入口２１にカーテン等を設けるよりも、出入口２１付近の外観を見栄えのよいものとすることができる。
【００４０】
本実施形態によれば、扉本体２２扉本体２２にマグネットキャッチ本体４２が設けられ、扉支持体２６に被吸着体４４が設けられているため、常態時において扉本体２２を所定の位置に確実に停止できる。加えて、マグネットキャッチ本体４２が、略円柱状の磁石体１４２ａを備えるものであるため、扉本体２２の開閉を円滑としつつ、扉本体２２の停止位置をより正確なものとできる。
【００４１】
本発明は、上述の実施形態に限定されるものではない。
例えば、上述の実施形態では、２枚の扉本体を備える両開き戸の扉とされているが、本発明の扉は、１枚の扉本体を備える片開き戸であってもよい。
【００４２】
上述の実施形態では、扉にマグネットキャッチ装置を備えているが、本発明はこれに限定されず、扉はマグネットキャッチ装置を備えていなくてもよい。
また、上述の実施形態では、扉本体にマグネットキャッチ本体が設けられ、支持体に被吸着体が設けられているが、例えば、扉本体に吸着体が設けられ、支持体にマグネットキャッチ本体が設けられていてもよい。
【００４３】
上述の実施形態では、ラック群は、複数のサーバーラックがＹ方向（図１）に並設されてなる一組のラック列により構成されているが、例えば、ラック群は、ラック列を構成する一部のサーバーラックに換えて、サーバー室の柱や、板状物が配置されたものであってもよい。
【００４４】
上述の実施形態では、ラック群の上部に天井が設けられているが、本発明はこれに限定されず、例えば、天井に換えて配線ラック、弱電ラック等がラック群の上部に設けられていてもよい。
【００４５】
上述の実施形態では、ラック列の並び方向の両端にコントロールパネルが設けられているが、本発明は、これに限定されず、コントロールパネルが設けられていなくてもよいし、他の場所、例えば、サーバー室外にコントロールパネルが設けられていてもよい。コントロールパネルは、サーバーラックの数、サーバー室の大きさ、サーバー室の形状等を勘案し、その数、設置場所等を設定できる。
【００４６】
上述の実施形態では、扉枠が、サーバーラックとコントロールパネルとの境界に沿って、コントロールパネルに接して設けられているが、扉枠の設置位置はこれに限定されず、ラック群の規模や、コントロールパネルの設置の有無等に応じて決定できる。例えば、ラック群を構成するサーバーラックの内、出入口に最も近いサーバーラックにおけるホットアイルに面した側面に設けられていてもよい。
【００４７】
上述の実施形態では、コールドアイルは、床面又は天井から冷気が供給される構造、即ち、コールドアイルの鉛直方向の上下いずれかから冷気が供給される構造である。しかしながら、本発明はこれに限定されず、コールドアイルは、略水平方向から冷気が供給される構造であってもよい。
【００４８】
上述の実施形態では、空調装置がラック列の並び方向Ｙ（図１）の延長上に設けられているが、本発明はこれに限定されず、例えば、空調装置は、サーバー室外に設けられていてもよいし、サーバー列に対し、矢印Ｘ方向に離間して設けられていてもよい。
【符号の説明】
【００４９】
１      サーバー室
６      コールドアイル
８      ホットアイル
１０    ラック群
１４    サーバーラック
２０    サーバー室内用の扉
２２、２２ａ、２２ｂ    扉本体
２６    扉支持体
３０    上部ヒンジ
３１    下部ヒンジ
４０    マグネットキャッチ装置
４２    マグネットキャッチ本体
４４    被吸着体
１４２ａ、１４２ｂ    磁石体
【図１】
2011243051.tif 000003
【図２】
2011243051.tif 000004
【図３】
2011243051.tif 000005
【図４】
2011243051.tif 000006
【図５】
2011243051.tif 000007
【図６】
2011243051.tif 000008
【図７】
2011243051.tif 000009
【図８】
2011243051.tif 000010
【図９】
2011243051.tif 000011